(57)【特許請求の範囲】
【請求項１】
画像形成装置から排出された搬送物を当該搬送物が排出された側からガイドするガイド布を前記搬送物が排出された位置の近傍の位置から下方に向かって張架してなる搬送物ガイド部と、
前記搬送物ガイド部と対向する面に、前記搬送物ガイド部と所定の間隔をもって設けられ、前記搬送物ガイド部との間に前記搬送物を挟み込む形で受け入れる保持部と、
前記搬送物ガイド部と前記保持部との間を連結して設けられ、前記搬送物の排出方向先端部が当接する先端規制部と、を有する画像形成装置用搬送物スタッカにおいて、
前記搬送物の排出方向先端部の規制高さ位置を調整するため、前記先端規制部より高い位置に設けられた搬送物位置調整部材を有し、
前記搬送物ガイド部は、前記ガイド布に沿って配置され、かつ、前記近傍の位置から前記搬送物位置調整部材にわたって形成された追加ガイド部材、をさらに有することを特徴とする画像形成装置用搬送物スタッカ。
【請求項２】
排出された搬送物の幅に合わせて、二以上の前記追加ガイド部材を並列させていることを特徴とする請求項１記載の画像形成装置用搬送物スタッカ。
【請求項３】
前記ガイド布がガイドパイプに張架されており、
前記追加ガイド部材を前記ガイドパイプに係止していることを特徴とする請求項１又は２記載の画像形成装置用搬送物スタッカ。
【請求項４】
前記追加ガイド部材を画像形成装置本体に対して着脱自在にしていることを特徴とする請求項１〜３のいずれか１項に記載の画像形成装置用搬送物スタッカ。
【請求項５】
請求項１〜４のいずれか１項に記載の画像形成装置用搬送物スタッカを備える画像形成装置。
【発明の詳細な説明】
【技術分野】
【０００１】
本発明は、画像形成装置用搬送物スタッカおよび画像形成装置に関する。
【背景技術】
【０００２】
従来、「シート積載装置」とした名称において、特許文献１に開示された構成のものがある。上記特許文献１に開示されたシート積載装置は、要するに、同一形状からなる複数本の排紙スタック部材の他端部をステンレススチール製のワイヤからなる横連結部材によって連結したものである。
【０００３】
上記特許文献１に開示されたシート積載装置であれば、用紙の先端部を規制するガイド部と緩い角度を持った傾斜部によって操作性を維持しつつ、長尺状のシート（シートロール）が積載された場合でも滑り落ちることなくスタック・積載できると考えられる。
【発明の概要】
【発明が解決しようとする課題】
【０００４】
ところで、上記排紙スタック部材に代えて、ガイド布をガイドパイプに張架した構成の排紙スタッカがある。上記ガイド布をガイドパイプに張架した構成の排紙スタッカであれば、排紙スタック部材に比べ、柔軟性を有するとともに、コンパクト化、軽量化の諸点において優れたものとなる。
【０００５】
上記ガイド布を用いた排紙スタッカでは、用紙長さ（副走査方向）が短い用紙をスタックする場合、その用紙に合わせた可動式の排紙位置調整部材を使用している。
しかしながら、可動式の排紙位置調整部材を使用してスタックする際、用紙のカール量が大きく、コシが強い紙質のものが排紙される場合には、その用紙の先端部がガイド布を押し込んで、その部位が凹むような変形を生じてしまう。
この場合、排紙位置調整部材とガイド布の間に用紙が入り込み、用紙の先端部を規定の位置に導くことができず、用紙の反転不良が発生してしまうという問題がある。
【０００６】
そこで本発明は、搬送物位置調整部材とガイド布の間に用紙が入り込むことによるスタック不良を防止できる画像形成装置用搬送物スタッカの提供を目的としている。
【課題を解決するための手段】
【０００７】
上記課題を解決するため本発明は、画像形成装置から排出された搬送物をガイドするガイド布を張架してなる搬送物ガイド部を有する画像形成装置用搬送物スタッカにおいて、前記搬送物の排出方向先端部の高さ位置を調整するための搬送物位置調整部材と、前記搬送物ガイド部をなすガイド布に沿って配置され、かつ、前記搬送物位置調整部材と交差する全長に形成した搬送物ガイド部材とを有している。
【発明の効果】
【０００８】
本発明によれば、搬送物位置調整部材とガイド布の間に用紙が入り込むことによるスタック不良を防止することができる。
【図面の簡単な説明】
【０００９】
【図１】本発明の一実施形態に係る画像形成装置用搬送物スタッカ及び一例に係る画像形成装置の外観を示す斜視図である。
【図２】同上の画像形成装置用搬送物スタッカ及び一例に係る画像形成装置の概略構成を示す側面図である。
【図３】画像形成装置から排出される用紙の挙動を示す説明図であり、（ａ）は、用紙の先端部が画像形成装置用搬送物スタッカの先端規制部に当接した様子、（ｂ）は、用紙をさらに排出した様子、（ｃ）は、用紙の後端部を切断した様子を示している。
【図４】一例に係る搬送物位置調整部材を使用して画像形成装置用搬送物スタッカに用紙をスタックするときの説明図である。
【図５】搬送物位置調整部材を用いた場合における課題を説明するための説明図である。
【図６】（ａ）は、本発明の第一の実施形態に係る搬送物ガイド部材の使用態様を示す説明図、（ｂ）は、 その搬送物ガイド部材の側面図、（ｃ）は、その搬送物ガイド部材の正面図である。
【図７】本発明の第一の実施形態に係る搬送物ガイド部材の実際の使用態様を示す写真である。
【図８】（ａ）は、本発明の第二の実施形態に係る搬送物ガイド部材の使用態様を示す説明図、（ｂ）は、本発明の第二の実施形態に係る搬送物ガイド部材の実際の使用態様を示す写真である。
【発明を実施するための形態】
【００１０】
以下に、本発明に係る搬送物スタッカについて、図面を参照して説明する。図１は、本発明の一実施形態に係る画像形成装置用搬送物スタッカ及び一例に係る画像形成装置の外観を示す斜視図である。図２は、本発明の一実施形態に係る画像形成装置用搬送物スタッカ及び一例に係る画像形成装置の概略構成を示す側面図である。なお、図２においては、図１に示す画像読取部及びスタンドを省略して示している。 
【００１１】
まず、上記の図１、２を参照しつつ、本発明の一実施形態に係る画像形成装置用搬送物スタッカ（以下、単に「排紙スタッカ」いう。）及び一例に係る画像形成装置の概略構成とともに、要部の動作について説明する。 
図２に示すように、画像形成装置Ａは、画像読取部１０、画像形成部２０及びスプール軸受け台３０（図１参照）を、装置本体５の上部から下部に向けて順に配置している。
本実施形態において示す画像読取部１０は、装置本体５と別体にして構成されたスタンド１に載置されている。
なお、図中、上下方向Ｚに直交する前後方向Ｘにおいて、装置本体５の図示左側が前面側であり、同じく右側が後面側である。 また、上下方向Ｚ及び前後方向Ｘに直交するとともに図２において紙面を貫通する方向が主走査方向Ｙ（図１参照）であり、シート幅方向（用紙幅方向）に相当する。
【００１２】
上記画像読取部１０は、原稿台１１、密着イメージセンサ１３、原稿排出ローラ１４及び原稿排出台１５を有している。 
原稿台１１は、装置本体５の前面側から後面側に向けて画像読取位置（図示せず）に搬送しようとする原稿をセットするものである。
原稿給送ローラ１２は、上記画像読取位置に原稿を搬送するものであり、また、密着イメージセンサ１３は、画像読取位置に配置され原稿の画像を読み取る機能を有するものである。さらに、原稿排出ローラ１４は画像読み取り終了後の原稿を排出するものであり、原稿排出台１５は、排出された原稿を積載するようになっている。
【００１３】
原稿台１１上に載置された図示しない原稿は、原稿給送ローラ１２により一枚ずつ図示しない原稿搬送路に給送される。そして、原稿給送ローラ１２により給送されてきた原稿は上記の密着イメージセンサ１３によりその画像が読み取られ、この画像の読み取り終了後に、原稿排出ローラ１４により原稿排出台１５に排出される。
【００１４】
画像形成部２０は、インクジェット記録方式によって画像形成を行うものであり、本実施形態においてはシリアル型インクジェット記録装置を用いている。 
図１に示すように、上記の画像形成部２０に対応する装置本体５の内部には、ガイドロッド２１及びガイドレール２２が図示しない側板に掛け渡され、これらのガイドロッド２１及びガイドレール２２にキャリッジ２３が主走査方向Ｙに摺動可能に保持されている。
キャリッジ２３には、ブラック（Ｋ）、イエロー（Ｙ）、マゼンタ（Ｍ）、シアン（Ｃ）の各色のインク滴を吐出する記録ヘッドが搭載されている。 また、各記録ヘッドには、これらにインクを供給するためのサブタンク（いずれも図示しない）が一体的に設けられている。
【００１５】
主走査領域のうちの一方の端部側領域（図において右斜め下方側）には、キャリッジ２３内の各記録ヘッドの維持回復を行う維持回復機構２４が配置されている。さらに、各記録ヘッドのサブタンク（いずれも図示しない）に供給する各色のインクを収容したメインカートリッジ２５が装置本体５に対して着脱自在に装着されている。 
上記した画像形成部２０には、この画像形成部２０によって画像が記録された搬送物（以下、「用紙」という。）Ｐを所定の長さに切断するためのカッタ２６が配置されている。
【００１６】
なお、本実施形態においては、所要の長さに切断された上記用紙Ｐを搬送物の一例として説明するが、これに限るものではなく、記録媒体、ＯＨＰ、プリプレグ、銅箔等のシート状で用紙と同様にしてスタック可能なもの全般に適用できることは勿論である。
【００１７】
図１、２において符号２７で示すものは、画像を記録された用紙Ｐを排出するためのシート排出部である。このシート排出部２７は、上記したカッタ２６よりも下流側に配設されている排出口４０、排出ガイド板４１及び排紙スタッカ５０等を備えている。
排出口４０は、画像を記録された用紙Ｐの装置本体５の外側への排出に供されるものであり、シート排出部２７におけるシート排出方向Ｘａであってその装置本体５の前面側に開口されている。 
【００１８】
排出ガイド板４１は、上記排出口４０の下辺縁に沿って形成されており、それは、下方に向けて前面側から突出する突出量が漸次大きくなる曲面にしたガイド面４１ａを備えている。 
画像を記録された用紙Ｐは、排出ガイド板４１の上記ガイド面４１ａを案内されながら、その排出ガイド板４１の下方に配置された排紙スタッカ５０に排出されてスタック・積載されるようになっている。 
スプール軸受け台３０は、長尺状の紙を巻き付けて形成されたロール紙Ｐ１から上記した用紙Ｐを繰り出し可能に支持するものである。
【００１９】
排紙スタッカ５０は、排出された用紙Ｐをガイドするガイド布５１ａを複数本のガイドパイプ５２に適宜張架したものであり、搬送物ガイド部（以下、「排紙ガイド部」という。）５１、先端規制部５３及び傾斜部５４を有している。
排紙ガイド部５１は、上述した画像形成装置Ａから排出された用紙Ｐをガイドするガイド布５１ａを張架してなるものであり、排出される用紙Ｐの先端部Ｐａをガイドするように起立させて形成している。 
【００２０】
先端規制部５３は、排出された用紙Ｐの先端部Ｐａの高さ位置を規制するものであり、これの一端部を排紙ガイド部５１の下端部に、また、他端部を傾斜部５４の下端部にそれぞれ略水平にして連結形成されている。
傾斜部５４は、上記先端規制部５３を介して排紙ガイド部５１と所要の間隔をもって対向して形成された第一の傾斜部５５と、これに続く第二の傾斜部５６とからなる。
上記の構成からなる排紙スタッカ５０は、図２に示すように、上記排紙ガイド部５１の上端部に設けた被係止部５１ｂを、上記した排出ガイド板４１の係止部４１ｂに係止することにより吊下されている。
【００２１】
図３は、画像形成装置から排出される用紙の挙動を示す説明図であり、（ａ）は、用紙の先端部が排紙スタッカ５０の先端規制部５３に当接した様子、（ｂ）は、用紙をさらに排出した様子、（ｃ）は、用紙の後端部を切断した様子を示している。なお、上記した図１、２において説明したものと同等のものについては、それらと同一の符号を付して説明を省略する。
【００２２】
図３（ａ）に示すように、上記したシート排紙部２７の排出口４０から排出された用紙Ｐは、これの先端部Ｐａが、排出ガイド板４１のガイド面４１ａに沿って案内されつつ、先端規制部５３に向けて下降し、先端規制部５３に到達して突き当たる。
【００２３】
用紙Ｐの先端部Ｐａが先端規制部５３に突き当たった後、用紙Ｐは排出される勢いで第一の傾斜部５５側に撓み始め、そして、用紙Ｐの先端部表面（印字面）が傾斜面に接触するようになる。
【００２４】
さらに用紙Ｐが排出されていくと、用紙Ｐが第一の傾斜部５５と第二の傾斜部５６の連結部（折れ曲がり部）５４ａ近傍において、シート排出方向Ｘａに膨らみ（図３（ｂ）参照）始める。
そして、図３（ｃ）に示すように、その状態で用紙Ｐの後端部Ｐｂが切断・排出されることにより、用紙Ｐの後端部Ｐｂが用紙Ｐの持つコシの強さによってシート排出方向Ｘａの下流側で折り返る。そして、他端部Ｐｂを図中矢印方向に垂れ下がるように第一の傾斜部５５に載置されることにより、排紙スタッカ５０にスタック・保持される。
【００２５】
図４は、一例に係る搬送物位置調整部材を使用して排紙スタッカ５０に用紙Ｐをスタックするときの説明図である。なお、上記した図１〜３において説明したものと同等のものについては、それらと同一の符号を付して説明省略する。
搬送物位置調整部材（以下、「用紙位置調整部材」という。）Ｃは、排紙スタッカ５０に受け入れる用紙Ｐの排出方向αにおける高さ位置を調整するためのものである。
この用紙位置調整部材Ｃは、所要幅にした細長い長方形の板であり、上記した傾斜部５４に沿う吊り下げ部６０と、排紙スタッカ５０に受け入れた用紙Ｐの先端部Ｐａに当接する先端当接部６１とを側面視略Ｌ字形にして形成されている。
先端当接部６１の先端部には、用紙Ｐの先端部Ｐａを係止するための係止爪６１ａが上側に突出させて形成されている。
【００２６】
上記用紙位置調整部材Ｃは、上記吊り下げ部６０の上端部を上記連結部５４ａに係止することにより吊り下げて使用するようになっている。このような用紙位置調整部材Ｃを用いることにより、用紙Ｐの先端部Ｐａを上方に位置させることができ、長さが短い用紙であっても良好にスタックできるようになる。
【００２７】
図５は、用紙位置調整部材Ｃを用いた場合における課題を説明するための説明図である。
上記した用紙位置調整部材Ｃを用いて用紙Ｐをスタックするとき、用紙Ｐのカール量が大きく、また、コシが強い場合、用紙Ｐの先端部Ｐａが排紙ガイド部５１をなすガイド布５１ａを押し込んで凹状に変形させることになる。
この場合、用紙位置調整部材Ｃの先端当接部６１とガイド布５１ａの間に用紙Ｐの先端部Ｐａが入り込み、その用紙Ｐを規定の位置に搬送することができず、用紙Ｐの反転不良が発生してしまうことがある。
【００２８】
図６（ａ）は、本発明の第一の実施形態に係る搬送物ガイド部材の使用態様を示す説明図、（ｂ）は、その搬送物ガイド部材の側面図、（ｃ）は、その搬送物ガイド部材の正面図である。
【００２９】
本発明の第一の実施形態に係る搬送物ガイド部材Ｄ１は、ガイド部７０、７０、このガイド部７０、７０の上端部に形成された半円形のフック部７１、７１及びそのガイド部７０、７０の下端部を連結する連結部７２とを金属バーによって一体に形成したものである。
ガイド部７０、７０は、上記した用紙位置調整部材Ｃを挟む間隔にし、かつ、ガイド布５１ａに沿うように曲成されているとともに、下端部から上端部に向けてやや幅広になるように形成されている。
【００３０】
フック部７１、７１は、排紙ガイド部５１の上端部に配したガイドパイプ５２に係止するためのものである。そのフック部７１、７１を排紙ガイド部５１の上端部に配したガイドパイプ５２に係止したとき、ガイド部７０、７０が排紙ガイド部５１をなすガイド布５１ａに沿うとともに、下端部が搬送物位置調整部材Ｃと交差して、この下方に突出する長さに形成している（図６（ａ）参照）。
【００３１】
図７は、本発明の第一の実施形態に係る搬送物ガイド部材Ｄ１の実際の使用態様を示す写真である。
本実施形態においては、用紙Ｐの幅に合わせて三つの搬送物ガイド部材Ｄ１を互いに所要の間隔をおいて、用紙Ｐのシート幅方向に配列している。
この構成であれば、用紙Ｐの先端部Ｐａが搬送物ガイド部５１をなすガイド布５１ａを押し込むことができなくなり、用紙Ｐの先端部Ｐａを用紙位置調整部材Ｃの先端当接部６１に確実に当接させることができる。
【００３２】
図８（ａ）は、本発明の第二の実施形態に係る搬送物ガイド部材の使用態様を示す説明図、（ｂ）は、本発明の第二の実施形態に係る搬送物ガイド部材の実際の使用態様を示す写真である。
本発明の第二の実施形態に係る搬送物ガイド部材Ｄ２は、ガイド部８０と、この上端部に方形のフック部８１を一体に形成した合成樹脂製のものである。
【００３３】
上記フック部８１を排紙ガイド部５１の上端部に配したガイドパイプ５２に係止したとき、ガイド部８０が排紙ガイド部５１をなすガイド布５１ａに沿うとともに、下端部が搬送物位置調整部材Ｃの先端当接部６１に当接するようになっている。
すなわち、搬送物位置調整部材Ｃの係止爪６１ａに、搬送物ガイド部材Ｄ２の下端部をオーバーラップさせることにより、用紙Ｐが搬送物ガイド部５１をなすガイド布５１ａを押し込めなくなるのである。
【００３４】
上述した実施形態においては、搬送物ガイド部材を琲紙ガイド部５１に吊り下げた構成のものを例として説明したが、搬送物ガイド部材を画像形成装置本体に対して着脱自在にした構成にしてもよい。
【符号の説明】
【００３５】
５      装置本体
１１      原稿台
１２      原稿給送ローラ
１３      密着イメージセンサ
１４      原稿排出ローラ
１５      原稿排出台
２０      画像形成部
２１      ガイドロッド
２３      キャリッジ
２４      維持回復機構
２５      メインカートリッジ
２６      カッタ
２７      シート排出部
４０      排出口
４１      排出ガイド板
５０      排紙スタッカ
５１ａ    ガイド布
５１      排紙ガイド部（搬送物ガイド部）
５２      ガイドパイプ
５３      先端規制部
５４      傾斜部
５５      第一の傾斜部
５６      第二の傾斜部
６０      吊り下げ部
７０      ガイド部
７１      フック部
７２      連結部
８０      ガイド部
８１      フック部
Ａ        画像形成装置
Ｃ        用紙位置調整部材（搬送物位置調整部材）
Ｄ１      搬送物ガイド部材
Ｄ２      搬送物ガイド部材
Ｐ        用紙
Ｐ１      ロール紙
Ｐａ      先端部
Ｐｂ      後端部
α        排出方向
【先行技術文献】
【特許文献】
【００３６】
【特許文献１】特開２０１３−３２１９３号公報
【図１】
0006747094.tif 000002
【図２】
0006747094.tif 000003
【図３】
0006747094.tif 000004
【図４】
0006747094.tif 000005
【図５】
0006747094.tif 000006
【図６】
0006747094.tif 000007
【図７】
0006747094.tif 000008
【図８】
0006747094.tif 000009